(57)【要約】【課題】簡素な構成で採光面積を増加可能な採光装置を提供する。【解決手段】本発明の採光装置１は、光入射面３１を有した導光板２と、導光板２からの光を伝送する伝送部４とを備える。そして、導光板２は、外周端面２２が表面側を向き、外周端面２２を光入射面３１としたものである。これによって、本発明の採光装置１は、簡素な構成で光入射面３１の面積を増加し易くすることができる。【選択図】図１
2013161727.tif 000002
【特許請求の範囲】
【請求項１】
光入射面を有した導光板と、この導光板からの光を伝送する伝送部とを備え、
前記導光板の両板面のうち、光が照射される側の板面を表面とし、
前記導光板は、外周端面が表面側を向き、
この外周端面を前記光入射面としたものである
ことを特徴とする採光装置。
【請求項２】
前記導光板を前記板厚方向に複数重ねて配置し、
複数の前記導光板は、この重ねた状態で、前記光入射面が各々表面側に露出するものである
ことを特徴とする請求項１に記載の採光装置。
【請求項３】
複数の前記導光板のうち、一部又は全部の前記導光板は、他の前記導光板と前記光入射面の傾斜角度が異なるものである
ことを特徴とする請求項２に記載の採光装置。
【請求項４】
前記導光板は、前記外周端面を前記表面側に突出して有した円盤形状のものである
ことを特徴とする請求項１乃至３のいずれか一項に記載の採光装置。
【請求項５】
前記光を前記外周端面に集める反射集光部をさらに備え、
前記重ねた状態で隣り合う前記導光板は、隣り合う前記光入射面の間に隙間を有し、
前記反射集光部は、この隙間に向けて照射される前記光を前記光入射面に集めるものである
ことを特徴とする請求項２又は３に記載の採光装置。
【発明の詳細な説明】
【技術分野】
【０００１】
本発明は、採光装置に関するものである。
【背景技術】
【０００２】
従来から、非電気式の照明システムとして、太陽光を用いたものがある。このものでは、採光装置で太陽光を取り込み、採光装置で取り込んだ光を照明装置に供給し、この光を照明装置が照明光として室内等に放出するものになっている。
【０００３】
そして、従来から、この採光装置として、例えば、特許文献１等に示すように、自然光を取り込む採光口を一端に有した光ダクトを用いた、所謂光ダクト式の採光装置がある。この採光装置では、光ダクトの内面が反射面で構成されており、光ダクトの開口端面である採光口が、建造物の屋根等に露出して設けられる。そして、採光装置は、採光口に入射した光を、光ダクトの反射面で反射させて建築物内に導き、建築物内に放出することで、建築物内部を照明する。
【０００４】
また、従来から、採光装置として、太陽光をフレネルレンズ及びコメンタリレンズで平行光束に変換して、光伝送ダクトに導入して、光伝送ダクトで伝送する採光装置がある（特許文献２等参照）。この採光装置では、フレネルレンズ及びコメンタリレンズで集光して採光するため、光伝送ダクトとして、フレネルレンズの平面積に比べて、小さい開口面積の光ダクトを用いることができる。そして、この採光装置では、フレネルレンズ等のレンズを備えたが故に、レンズの焦点に合った光のみ採光できるため、太陽の高度の変動等に応じてレンズへの導光を調整する太陽追尾装置を備える。
【先行技術文献】
【特許文献】
【０００５】
【特許文献１】特開２００５−２６８１５６号公報
【特許文献２】特開平０４−１９０３０３号公報
【発明の概要】
【発明が解決しようとする課題】
【０００６】
ところで、特許文献１等の光ダクト式の採光装置は、採光口の開口面積が採光可能な範囲（採光面積）となるため、採光面積を増加させる場合、ダクトの大型化による開口面積の増加や、ダクトの設置数の増加等で対応することになる。
【０００７】
また、特許文献２等のレンズを備えた採光装置では、採光面積を増加させる場合、レンズの大型化や、レンズの設置数の増加等で対応することになる。そして、この採光装置では、レンズの大型化等を行う場合、太陽追尾装置の大型化や、設置数の増加等をさらに行う必要が生じる。
【０００８】
このように、従来の採光装置では、採光面積を増加させる場合、複雑な構成や大掛かりな構成になり易いという問題がある。
【０００９】
そこで、本発明は、前記従来の問題点に鑑みて発明したもので、その目的とするところは、簡素な構成で採光面積を増加可能にした採光装置を提供することにある。
【課題を解決するための手段】
【００１０】
上記課題を解決するために、本発明の採光装置は、光入射面を有した導光板と、この導光板からの光を伝送する伝送部とを備え、前記導光板の両板面のうち、光が照射される側の板面を表面とし、前記導光板は、外周端面が表面側を向き、この外周端面を前記光入射面としたものであることを特徴とする。
【００１１】
この採光装置として、前記導光板を前記板厚方向に複数重ねて配置し、複数の前記導光板は、この重ねた状態で、前記光入射面が各々表面側に露出するものであることが好ましい。
【００１２】
この採光装置として、複数の前記導光板のうち、一部又は全部の前記導光板は、他の前記導光板と前記光入射面の傾斜角度が異なるものであることが好ましい。
【００１３】
この採光装置として、前記導光板は、前記外周端面を前記表面側に突出して有した円盤形状のものであることが好ましい。
【００１４】
この採光装置として、前記光を前記外周端面に集める反射集光部をさらに備え、前記重ねた状態で隣り合う前記導光板は、隣り合う前記光入射面の間に隙間を有し、前記反射集光部は、この隙間に向けて照射される前記光を前記光入射面に集めるものであることが好ましい。
【発明の効果】
【００１５】
本発明は、前記構成を備えたことで、レンズを備えた場合と異なり、太陽追尾装置等を備えなくても、高度の変動する太陽等からの光を採光し易くすることができる。そして、本発明は、前記構成を備えたことで、光入射面や導光路（導光板）の形状等が、伝送部の形状等に影響し難くすることができる。そのため、本発明は、レンズを備えた採光装置や光ダクト式の採光装置に比べて、構成の複雑化を抑えて、簡素な構成で採光面積を増加可能とした採光装置を提供し易くすることができるという効果を奏する。
【図面の簡単な説明】
【００１６】
【図１】採光装置の分解斜視図である。
【図２】採光装置の表面カバーを外した状態の斜視図である。
【図３】同上のＢ−Ｂ断面での一部を省略した斜視図である。
【図４】図３から反射集光部を外した状態の側断面図である。
【図５】図３の領域Ｄを拡大した側断面図である。
【図６】導光板の斜視図である。
【図７】同上のＣ−Ｃ断面での斜視図である。
【図８】導光板による採光動作の模式的な説明図である。
【図９】反射集光部の分解斜視図である。
【図１０】採光装置の一部を省略した状態の設置事例の説明図である。
【発明を実施するための形態】
【００１７】
本発明を、添付図面に示す実施形態に基づいて説明する。
【００１８】
本実施形態の採光装置１は、例えば、太陽光等の光を採光する。そして、この採光装置１は、採光した光を太陽電池や照明器具等の外部の光利用手段（図示せず）に供給する。この採光装置１は、図１乃至図２に示すように、導光板２と、伝送部４と、反射集光部６と、表面カバー７とを備える。採光装置１は、図３乃至４に示すように、導光板２を複数備える。この複数の導光板２は、板面を略平行に並べて、重ねて配置してある。そして、導光板２は、透明材で形成してある。この透明材としては、例えば、ポリメタクリル酸メチル樹脂（ＰＭＭＡ）等のアクリル樹脂や、ポリカーボネート（ＰＣ）等が好適に用いられる。
【００１９】
以下の説明においては、導光板２の光が照射される側の（光源側に位置する）一方の板面を、表面とし、反対側の板面である他方の板面を、裏面として定める。そして、方向の定義としては、板厚方向を前後方向とし、表面側を前方、裏面側を後方とする。すなわち、採光装置１は、板面を略平行に並べて、複数の導光板２を前後方向に積層して設けてある。更に、形状の説明においては、前後方向において視た平面形状（表面側からの平面視）を、単に平面視として記載する。
【００２０】
導光板２は、図６乃至図７に示すように、外周端面２２より中央側の部位が裏面側に凹んだ円盤形状になっている。具体的には、導光板２は平面視略円形状になっている。導光板２は、外周端部全体が立ち上がり部２１になっている。言い換えると、立ち上がり部２１は、円の外周全体を表面より前方に突出して形成してある。そして、立ち上がり部２１は、導光板２と略同心の平面視略円環状になっている。そのため、導光板２は、板の外周端面２２が、立ち上がり部２１の突出先端面になっている。そして、立ち上がり部２１の突出先端面は、立ち上がり部２１の突出方向に対して略直交した平面になっている。
【００２１】
言い換えると、導光板２は、外周を前方側に立ち上げた椀形状（スープ皿形状）になっている。そして、導光板２は、外周端面２２が表面側を向く。
【００２２】
更に、積層した複数の導光板２は夫々、外径が異なる。具体的には、前方側に配置される導光板２程、外径（外寸）が小さい寸法になっている。そして、前後に隣り合う導光板２は、互いの外周端面２２の径方向における間に隙間を有する。そのため、前後に隣り合う導光板２は、後方側の導光板２の表面が前方側に露出する。言い換えると、複数の導光板２は、前後方向に視て（重ねた方向での平面視において）、間隔を空けて且つずれた位置に外周端面２２を有する。
【００２３】
更に、導光板２は、図５に示すように、外部の光が外周端面２２を介して内部に入射可能になっている。言い換えると、導光板２は、外周端面２２の略全体が、光を取り込む光入射面３１になっている。そして、光入射面３１は表面側を向く。そのため、採光装置１は、平面視において、径の異なる円環状の光入射面３１を複数有する。そして、採光装置１は、平面視において、複数の光入射面３１が、略同心円状に並んで位置する。更に、複数の光入射面３１は、平面視において、重ならずに前方側に露出する。
【００２４】
導光板２は両板面が、光を略全反射する鏡面になっている。そして、導光板２は、導光板２内の光を出射可能な（放出可能な）光出射面３２（詳細は後述する）を有する。これによって、導光板２は、図８に示すように、外周端面２２から入射した光が、内部で略全反射して、光出射面３２に至る（導光される）ものになっている。言い換えると、導光板２は内部が導光路になっている。
【００２５】
また、導光板２は、図４乃至図５に示すように、立ち上がり部２１より径内側の部位の裏面に沿った径外方向側の延長線と外周端面２２近傍の裏面との成す角度（立ち上がり角度）が、各々異なる。そして、立ち上がり角度（図５中のＡｎｇ参照）は、９０°以下で０°より大きい値（０＜立ち上がり角度≦９０）になっており、外周端面２２は径外方向に傾いて前方側を向く。言い換えると、立ち上がり部２１は、径外方向から前方側に傾けた角度（立ち上がり角度）が各々異なる。そして、外周端面２２は径外方向に向かう程後方に位置する前後方向に対して傾斜した平面になっている。
【００２６】
更に、立ち上がり角度は、前方側の導光板２程、値が大きくなる。そして、採光装置１は、径方向に切断した側面視（側断面視）において、複数の光入射面３１が、径外方向を向いて略同一円周上に並んで位置する。言い換えると、採光装置１は、平面視円中心側（径内側）に位置する外周端面２２程、前方側を向き、平面視外周側（径外側）に位置する外周端面２２程、径外方向側を向く。そして、複数の光入射面３１は、前方側程円環（外径及び内径）が小さくなるため、前方に凸の略半球状に並ぶ。
【００２７】
また、平面視最外周（最後方）に位置する光入射面３１は、最も低い高度に位置した太陽に対向するように、傾斜角度が設定してある。そして、平面視略中心（略最前方）に位置する光入射面３１は、最も高い高度に位置した太陽に対向するように、傾斜角度が設定してある。
【００２８】
例えば、日本国で利用する場合を例に説明する。この場合、採光装置１は、例えば、図１０に示すように、導光板２の板面を水平面Ｇ１から約１２度傾けた姿勢で、表面を南向きにして設置される。そして、この傾けた姿勢において、採光装置１は、最後方に配置される導光板２（最後部の導光板２ａ）の光入射面３１が、南中高度が最も低い所謂冬至（南中高度約１８度）の朝の太陽Ｓ１に対向するように傾斜角度を設定してある。更に、前記傾けた姿勢において、採光装置１は、最前方に配置される導光板２（最前部の導光板２ｂ）や導光柱５（詳細は後述する）の光入射面３１が、南中高度が最も高い所謂夏至（南中高度約７８度）の昼の太陽Ｓ２に対向するように傾斜角度を設定してある。
【００２９】
また、導光板２は、図４に示すように、導光板２の板の中央に、光出射面３２が設けてある。具体的には、導光板２が、前後方向に貫通した貫通孔を、板の中央に有する。そして、採光装置１は、最後部の導光板２ａと、それ以外の残りの導光板２とで貫通孔周辺の形状が異なる。以下、最後部の導光板２ａ以外の残りの導光板２を、最後部の導光板２ａと区別して表記する場合、単に、残りの導光板２と記載する。
【００３０】
最後部の導光板２ａは、貫通孔の内面が、光出射面３２になっている。また、残りの導光板２は、図７に示すように、貫通孔の縁部が、後方に突出した突出部２３になっている。突出部２３は、径内方向に向けて傾斜して設けてある。そして、突出部２３は、突出先端面である後端面が、光出射面３２になっている。
【００３１】
更に、最後部を含む全ての導光板２は、図４に示すように、光出射面３２を前方に凸の略半球状に並べて配置してある。そして、この全ての光出射面３２は、伝送部４に向けて光を放出する。言い換えると、採光装置１は、一つの伝送部４に全ての光出射面３２が接続してある。
【００３２】
伝送部４は、光出射面３２から放出された光を受光部４１で受ける。そして、伝送部４は、受光部４１で受けた光を伝送して、前記光利用手段に供給する。
【００３３】
具体的には、伝送部４が、図１乃至図３に示すように、略一定の直径を有した円筒形状になっている。そして、伝送部４は、内面が光を略全反射する鏡面になっている。例えば、伝送部４は、アルミニウム等の金属製や、内側に金属蒸着を行った樹脂製等になっている。また、伝送部４は、円筒の一方の開口端面が、光出射面３２からの光を受ける受光部４１になっている。そして、この開口端面の直径は、複数の光出射面３２を配置した半球の直径と略同じ寸法になっている。そのため、この開口端面は、複数の光出射面３２の総面積（外周端面２２の平面積の合計）に比べて、開口面積が小さい寸法になっている。言い換えると、伝送部４は、採光装置１で採光可能な面積（採光面積）に比べて、受光部４１の受光面積が小さい寸法になっている。
【００３４】
ところで、立ち上がり部２１や突出部２３は、導光板２の平板状の部位から屈曲して突出する形状になっている。そのため、立ち上がり部２１や突出部２３は、この屈曲した部位を緩やかに傾斜した形状に設けて、この部位からの光漏れを抑制することが好ましい。例えば、本例では、立ち上がり部２１及び突出部２３の曲率半径が、５０ｍｍ以上になっている。
【００３５】
また、採光装置１は、図３に示すように、円柱状の導光柱５をさらに備える。導光柱５は、最前部の導光板２より径内方向側に配置してある。導光柱５は導光板２の円の略中心に、同心で位置する。そして、導光柱５は、柱の軸方向の一端に光入射面３１を有し、軸方向の反対側の一端（他端）に光出射面３２を有する。導光柱５は、光入射面３１から入射した光を、光出射面３２から伝送部４の受光部４１に放出する。そして、導光柱５は、光入射面３１が、前後方向において、最前部の導光板２の光入射面３１と略同じ或いは最前部の導光板２の光入射面３１より前方に位置する。
【００３６】
反射集光部６は、図９に示すように、円環状の反射リング６１を複数備える。反射リング６１は各々リング（円環）の径が異なる。そして、反射集光部６は、図２に示すように、複数の反射リング６１を平面視略同心で配置しており、この反射リング６１は各々径方向において重ならないように並ぶ。また、反射リング６１は、図５に示すように、光入射面３１の前方側に取り付けてある。そして、反射リング６１は、平面視径方向に隣り合う外周端面２２間の隙間に配置される。反射リング６１は、この隙間に向けて照射された光を外周端面２２側に向けて反射する。
【００３７】
具体的には、図５に示すように、反射リング６１が、径内側に位置し径内方向を向く環状の第１反射面６２と、径外側に位置し径外方向を向く環状の第２反射面６３とを有する。言い換えると、反射リング６１は、後方に向けて開いた断面Ｖ字に反射面（第１反射面６２、第２反射面６３）を有する。反射リング６１は、例えば、アルミニウム等の金属製や、金属蒸着等で形成した鏡面を反射面として有した樹脂製等になっている。
【００３８】
第１反射面６２は、これより径内側に位置する光入射面３１の外周縁に、後端が取り付けてある。そして、第１反射面６２は、第１反射面６２に照射された光を反射して、この径内側の光入射面３１に集める。また、第２反射面６２の前端は第２反射面６３の前端に接続してある。第２反射面６３は、これより径外側に位置する光入射面３１の内周縁に、後端が取り付けてある。そして、第２反射面６３は、第２反射面６３に照射された光を反射して、この径外側の光入射面３１に集める。言い換えると、反射リング６１は、Ｖ字の各辺の反射面が、夫々異なる導光板２用の反射面として機能する。
【００３９】
更に、最後部の導光板２ａの径外側に取り付ける反射リング６１（最後部の反射リング６１ａ）は、第１反射面６２を備えるが、第２反射面６３を備えない形状になっている。具体的には、最後部の反射リング６１ａの後端が、最後部の導光板２ａの光入射面３１の外周縁に取り付けてある。そして、最後部の反射リング６１ａは、第１反射面６２に照射された光を反射して、最後部の導光板２ａの光入射面３１に集める。なお、図３では省略した。
【００４０】
このように、採光装置１は、反射集光部６を備えたことで、前後の導光板２の光入射面３１間の径方向の隙間に照射される光を、光入射面３１に導入し易くすることができる。言い換えると、採光装置１は、反射集光部６の無い場合で前方に露出する表面に対して照射される光を、反射集光部６を取り付けることで、光入射面３１側に反射して集光することができる。
【００４１】
また、最前部の導光板２の径内側に取り付ける反射リング６１（最前部の反射リング６１ｂ）は、後方に向けて開いた断面Ｖ字に反射面（第１反射面６２、第２反射面６３）を有する。そして、最前部の反射リング６１ｂは、第１反射面６２が導光柱５の光入射面３１に光を集め、第２反射面６３が最前部の導光板２に光を集める。これによって、採光装置１は、最前部の導光板２の光入射面３１と導光柱５の光入射面３１の間の径方向の隙間に照射される光を、光入射面３１に導入し易くすることができる。
【００４２】
表面カバー７は円盤形状になっている。表面カバー７は、光を透過する透明部材で形成される。そして、表面カバー７は、反射集光部６の前方に配置してあり、反射集光部６の前方側を覆う。言い換えると、表面カバー７は、径方向に隣り合う反射リング６１の前端間の径方向における間を覆う。
【００４３】
以上述べたように、本実施形態の採光装置１は、外周端面２２全体を光入射面３１とした導光板２と、この導光板２からの光を伝送する伝送部４とを備える。そして、採光装置１は、外周端面２２が表面側を向いて設けてある。
【００４４】
これら構成によって、本例の採光装置１は、導光板２の光入射面３１で直接採光することができる。そのため、本例の採光装置１は、焦点に合った光のみ採光可能なレンズ及び太陽追尾装置を備えた採光装置と異なり、照射される光（太陽光等）に対して焦点を合わせる必要が無くなり、太陽追尾装置等を備えなくても、採光することができる。そして、採光装置１は、表面側に照射される前記光を、外周端面２２略全体で採光することができる。更に、採光装置１は、例えば光出射面３２の位置や形状等の、導光路（導光板２）の形状等における制限を軽減し易くすることができる。これによって、採光装置１は、導光路の形状等の制限に伴う伝送部４の形状等の制限を軽減し易くすることができる。
【００４５】
そのため、本例の採光装置１は、レンズ等を備えた採光装置に比べて、構成の複雑化を抑えて、簡素な構成で、直接光入射面３１で採光可能な面積（採光面積）を増加させた構成にし易くすることができる。
【００４６】
また言い換えると、採光装置１は、前記構成によって、照射される光の光入射面３１への入射角（方向性）の制限を軽減し易くすることができる。そして、採光装置１は、光入射面３１全体で採光することができる。更に、採光装置１は、光入射面３１や導光路の形状等の自由度を増すことができて、導光路の形状等が伝送部４の形状等に影響し難くすることができる。
【００４７】
そのため、採光装置１は、採光面積となる外周端面２２の面積を、伝送部４の受光部４１の開口面積に比べて、大きい寸法にし易くすることができる。これによって、本例の採光装置１は、採光面積と略同じ断面積になる光ダクト式の採光装置に比べて、伝送部４の大型化等の構成の複雑化を抑えて、簡素な構成で採光面積を増加させた構成にし易くすることができる。
【００４８】
また、採光装置１は、重ねた状態の導光板２が、平面視において、光入射面３１をずれた位置に有したことで、光入射面３１を重なり難い配置に構成し易くすることができる。言い換えると、採光装置１は、導光板２毎の光入射面３１を各々露出した位置に配置することができる。そのため、採光装置１は、複数の光入射面３１略全体を採光面積に用いることができて、簡素な構成で採光面積を増加させた構成にし易くすることができる。
【００４９】
また、採光装置１は、導光板２を重ねた状態において、導光板２が各々異なる傾斜角度（立ち上がり角度）で外周端面２２を有する。言い換えると、採光装置１は、導光板２を重ねた状態において、採光可能な入射角の範囲が異なる光入射面３１を複数備える。
【００５０】
これによって、本例の採光装置１は、採光可能な入射角の範囲を広くし易くすることができて、レンズ等を備えた採光装置に比べて、簡素な構成で採光面積を増加させた構成にし易くすることができる。言い換えると、本例の採光装置１は、前記方向性の制限の軽減と相まって、高度の変動に伴い照射角（光入射面３１への入射角）が変化する太陽光に対して、光入射面３１の向きを変更しなくても、良好な採光効率を確保し易くすることができる。
【００５１】
また、採光装置１は、光入射面３１を径外方向側程後方側に傾斜して設けたことで、複数の光入射面３１を、側断面視において、略同一円周上に径外方向を向いて配置することができる。これによって、採光装置１は、立ち上がり部２１が前方側の導光板２の立ち上がり部２１に干渉し難くすることができる。
【００５２】
そのため、採光装置１は、光入射面３１に入射可能な光が前方の導光板２の裏面（立ち上がり部２１の径外方向を向く面）で遮られることを、抑制した構成にし易くすることができる。そして、採光装置１は、光入射面３１への光を導光板２で遮り難くしたことで、採光面積を増加させた際に、立ち上がり部２１間の隙間を小さく抑えた構成にし易くすることができる。
【００５３】
また、採光装置１は、後方に突出して光出射面３２を有したことで、受光部４１（受光部４の開口端面）に対して、複数の光出射面３２を立体的に配置することができる。言い換えると、採光装置１は、例えば、受光部４１の直径と略同じ直径の半球状に複数の光出射面３２を並べる等で、複数の光出射面３２からの光を一箇所に集めて、一つの伝送部４に放出する構成にすることができる。これによって、採光装置１は、採光面積や光出射面３２の総面積に比べて、受光部４１の受光面積や伝送部４の外寸等を、小さく抑えた構成にし易くすることができる。そのため、採光装置１は、伝送部４の大型化を抑制して、採光面積を増加させた構成に易くすることができる。
【００５４】
更に、本例の採光装置１は、住宅等の構造物への施工を行い易くしたり、施工コストを低減し易くしたりすることができる。具体的に説明すると、光ダクト式の採光装置では、光ダクト挿通用に採光面積と略同じ面積で、構造物の天井等に大孔を形成することになる。対して、本例の採光装置１では、採光面積に比べて伝送部４の寸法を小さくすることができる。そのため、本例の採光装置１は、構造物の天井等に設ける伝送部４挿通用に形成する孔等を、採光面積に比べて小さく寸法に抑え易くすることができる。これによって、本例の採光装置１は、光ダクト式の採光装置に比べて、施工を行い易くしたり、施工コストを低減し易くしたりすることができる。
【００５５】
そして、レンズ等を備えた採光装置では、例えば、焦点調整用に太陽追尾装置でレンズの向きを変更するため、太陽追尾装置がモータ等の駆動部を備える。そのため、この採光装置では、駆動部の重量に耐えるための構造物の補強や、駆動部や駆動部用の制御部等の設置空間の確保等を行うことになる。対して、本例の採光装置１では、太陽追尾装置を備えなくても、良好な採光効率を確保し易い構成であるため、構成の複雑化を抑え易くすることができる。これによって、本例の採光装置１は、レンズ等を備えた採光装置に比べて、施工を行い易くしたり、施工コストを低減し易くしたりすることができる。
【００５６】
また、採光装置１は、平面視略中心に導光柱５を設けたことで、導光板２に生じるデットスペースである導光板２の中央においても、採光することができる。言い換えると、採光装置１は、導光柱５をさらに備えることで、導光板２を用いたが故のデットスペースを、採光に有効利用することができる。これによって、採光装置１は、簡素な構成で採光面積を増加させた構成にし易くすることができる。
【００５７】
また、採光装置１は、反射集光部６を設けたことで、光入射面３１間の径方向の隙間（反射集光部６を外すと露出する表面）に照射される光を、光入射面３１側に集光することができる。これによって、採光装置１は、この隙間を有することでの採光効率のロスを軽減し易くすることができる。言い換えると、採光装置１は、前記隙間に向けて照射された光も光入射面３１で採光することができて、採光効率を向上し易くすることができる。
【００５８】
また、採光装置１は、表面カバー７を設けたことで、埃や雨水（水滴）等が表面カバー７に付着して、反射集光部６の反射面や導光板２の光入射面３１等に埃等を付着し難くすることができる。そのため、採光装置１は、反射面や光入射面３１に付着した埃等によって、反射や採光等が阻害されることを抑制し易くすることができる。そして、採光装置１は、表面カバー７を清掃することで、表面カバー７に付着した埃等を容易に除去することができる。そのため、採光装置１は、埃等の付着に伴う採光効率の低下を、解消し易い構成にすることができる。
【００５９】
なお、本発明は、前述の実施形態の構成のみに限定されるものではなく、本発明の意図する範囲内であれば、適宜の設計変更を行うことが可能である。例えば、採光装置１は、環状に立ち上がり部２１を有した略矩形状の導光板２を用いたものや、外周端面２２を表面より前方に突出させずに表面側に向けて設けたもの（立ち上がり部２１の無いもの）等であってもよい。また、採光装置１は、一つの導光板２の前方に、複数の導光板２を異なる位置に配置して、平面視において、一つの表面上に、複数の導光板２が重ならずに並ぶ構成であってもよい。
【００６０】
また例えば、採光装置１は、平面視において、前後方向に隣り合う導光板２の光入射面３１が径方向に隣接して位置し、後方の導光体の表面を露出させずに（隙間を有さずに）、光入射面３１が隣り合う構成であってもよい。また例えば、採光装置１は、導光板２が一枚のみのものや、反射集光部６や表面カバー７や導光柱５を備えないもの等であってもよい。また例えば、採光装置１は、伝送部４を導光板２の表面側に接続したものや、伝送部４を導光板２の中央からずれた位置に接続したものや、受光部４１や伝送部４を複数有し、導光板２の複数箇所に伝送部４を接続したもの等であってもよい。
【００６１】
また、採光装置１は、導光柱５を備える場合、導光柱５が、角柱形状のものや、後方側に凸の錘形状のもの等であってもよく、導光柱５を複数備えるもの等であってもよい。また例えば、導光板２は、両板面（表裏面）に、メッキや樹脂コーティング等の表面加工を行い、光反射面を形成して、板面からの光漏れを防止したものであってもよい。
【００６２】
また、採光装置１は、導光板２の外周端面２２全体を光入射面３１としたものに限らない。例えば、図１０に示した設置例の条件下であれば、採光装置１は外周端面３１の半分以上（半分を含む）を光入射面３１としたものであればよい。この場合、具体的には、例えば、採光装置１が円盤状の導光板２を備える。導光板２は外周端面２２の半周が光入射面３１になっている。そして、各導光板２の光入射面３１は、円周の略中央が最も下方に位置し、円周の端が最も上方に位置した状態で設置される。なお、外周端面２２の一部を光入射面３１とした場合、採光装置１は、外周端面２２のうち、光入射面３１でない部位を鏡面にしたり、この部位に光反射面を形成したりする等で、この部位からの光漏れを防止することが好ましい。
【符号の説明】
【００６３】
１  採光装置
２  導光板
２１  立ち上がり部
２２  外周端面
２３  突出部
３１  光入射面
３２  光出射面
４  伝送部
４１  受光部
５  導光柱
６  反射集光部
６１  反射リング
６２  第１反射面
６３  第２反射面
【図１】
2013161727.tif 000003
【図２】
2013161727.tif 000004
【図３】
2013161727.tif 000005
【図４】
2013161727.tif 000006
【図５】
2013161727.tif 000007
【図６】
2013161727.tif 000008
【図７】
2013161727.tif 000009
【図８】
2013161727.tif 000010
【図９】
2013161727.tif 000011
【図１０】
2013161727.tif 000012